(57)【要約】【課題】公知のシステムの制限のないケースミドルへのホーン取付システムを有する時計ケースを提供すること。【解決手段】ケースミドル６０と、取り外し可能なホーン４０と、ケースミドル６０の厚さにおいて設けられたハウジング６２へ取り外し可能に挿入される少なくとも１つのナット１０と、ケースミドル６０から径方向外方へ突出するナット部分１４と、各ナット１０に径方向に螺合する取り外し可能なホーン保持ネジ２０とを含んでいる。
2018529970.tif 000002
【特許請求の範囲】
【請求項１】
ケースミドル（６０）と、
取り外し可能なホーン（４０）と、
前記ケースミドルの厚さにおいて設けられたハウジング（６２）へ取り外し可能に挿入される少なくとも１つのナット（１０）と、
前記ケースミドルから径方向外方へ突出するナット部分（１４）と、
前記各ナット（１０）に径方向に螺合する取り外し可能なホーン保持ネジ（２０）と
を含んでいる時計ケース。
【請求項２】
前記各ナット（１０）が、該ナットをそのハウジングに保持するためのプレート（１２）と、該プレートに取り付けられたネジ付きナット部分（１４）とを含んでいることを特徴とする請求項１に記載の時計ケース。
【請求項３】
前記プレートの厚さ（ｅ１２）が、１ｍｍより小さく、例えば０．８ｍｍより小さく、好ましくは０．５ｍｍであることを特徴とする請求項１又は２に記載の時計ケース。
【請求項４】
前記プレート（１２）の厚さが、前記ナット部分（１４）の厚さよりも小さいことを特徴とする請求項２又は３に記載の時計ケース。
【請求項５】
前記ハウジングが、前記ケースミドルの頂部エッジ（６００）によって前記ナットを挿入するためのスロット（６２）を有していることを特徴とする請求項１〜４のいずれか１項に記載の時計ケース。
【請求項６】
前記ハウジングが、前記ケースミドルの頂部エッジ（６００）によって前記プレート（１２）を挿入するためのスロット（６２）と、前記ケースミドルの前記頂部エッジ（６００）によって前記ナット部分（１４）を挿入するための、前記ケースミドルの外側面における開口部（６６）と、前記ケースミドルの外方へ突出する突出ナット部分とを含んでいることを特徴とする請求項２〜４のいずれか１項に記載の時計ケース。
【請求項７】
結合部（３０）によって対で結合された取り外し可能な前記ホーン（４０）の２つの対と、前記結合部を貫通する保持ネジ（２０）とを含んでいることを特徴とする請求項１〜６のいずれか１項に記載の時計ケース。
【請求項８】
前記ホーン（４０）の前記結合部（３０）をカバーするように配置されたカバー（５０）を含んでいることを特徴とする請求項７に記載の時計ケース。
【請求項９】
前記結合部（３０）が、該結合部（３０）の位置決めを保証するために、前記ケースミドルの切れ目（６４）と協働する突出タブ（３４）を含んでいることを特徴とする請求項７又は８に記載の時計ケース。
【請求項１０】
時計のケースミドル（６０）へ取り外し可能なホーン（４０）を取り付けるための方法であって、以下のステップ：
−ナット部分（１４）が前記ケースミドルの外方へ突き出るよう突出するように、前記ケースミドル（６０）のハウジング（６２）へ少なくとも１つの取り外し可能なナット（１０）をスライドさせるステップと、
−前記取り外し可能なホーン（４０）を前記ケースミドル（６０）に固定するために前記ナット（１０）内へネジを螺合させるステップと
を含んでいることを特徴とする方法。
【発明の詳細な説明】
【技術分野】
【０００１】
本発明は、特に腕時計のための、取り外し可能なホーンを含む時計ケースに関するものである。本発明は、時計のケースミドルにホーンを取り付ける方法に関するものでもある。
【背景技術】
【０００２】
公知の腕時計のケースミドルは、一般的に、ホーン、すなわち両側からブレスレットを包囲することでブレスレットを取り付けるために役立つミドルの部分を統合しつつ打抜き加工によって形成される単体で構成されている。ホーンが複雑な形状を有している場合には、この部分の製造は、困難であるとともに大量生産に適していない。
【０００３】
ケースミドル及びホーンが別々に製造され、それぞれその後に組み立てられる時計ケースの部分も存在する。これらケースは、容易に製造可能である。さらに、外側面は、旋削加工によって、したがって、ケースミドルの外側面がホーンによって直接形成される場合に比べてより適切かつより迅速に仕上げられることが可能である。
【０００４】
本出願人により出願された特許文献１には、結合部によって互いに結合された中央の取り外し可能なホーンを含む時計ケース部分が記載されている。ケースミドルは、各ホーンのための凹状の箇所と、各結合部のための凹状の箇所とを含んでいる。これら箇所により、結合部をマスキングしつつホーンの基礎を位置決めすることが可能である。ケースミドルへの結合部の固定は、各ホーンを貫通し、ケースミドルの厚さにおいてネジ付き孔に螺合する２つの垂直なネジによって提供される。したがって、この解決手段は、ホーンの基礎のための上述の箇所と、ホーン保持ネジのためのネジ付き孔とを形成するために十分な厚さのケースミドルを必要とする。したがって、このようなケースミドルは重量が大きくなる。さらに、厚いケースミドルは、スポーツウォッチ又は男性用時計には適しているものの、いくつかのエレガントな時計、特に女性用時計の審美的な基準に適合しない。
【０００５】
特許文献２には取り外し可能なホーンが開示されており、各ホーンは、対応する凹部へ挿入されることが可能な２つの突出した要素を含んでいる。ホーンとケースミドルの間の結合は、突出要素が凹部へ挿入されるときのこれら突出要素の変形を用いてなされる。この解決手段は、突出要素と協働することが可能な箇所を得るために厚いケースミドルを必要とする。さらに、ケースミドルとの結合を得るために突出要素を変形させるために働く力が大きすぎると、ホーンが破壊されるおそれがある。
【０００６】
特許文献３には、外側面がほぞ穴を含むケースミドルが記載されている。ホーンの端部は、ほぞ穴と同一の四角形（ｓｑｕａｒｉｎｇ）のスタッドを含んでいる。このスタッドは、ほぞ穴内に挿入されるように配置されており、そして、２つの部分は、ミドル及びスタッドにおける孔によって形成されたハウジングにおいてピンで結合されている。この解決手段においては、ケースミドルの厚さ及び高さは、ほぞ穴を形成するために重要である。
【０００７】
特許文献４には、ケースミドル及び二対のホーンを有する時計ケースが開示されている。各対の２つのホーンは、ケースミドルの内部で弾性部材を用いてミドルに対して保持された側を有する結合部によって結合されている。この弾性部材は、ケースミドルの輪郭部に配置された開口部を通って結合部に結合されている。したがって、この解決手段は、ケースミドル内部における弾性部材を必要とし、この弾性部材の組み立ては複雑である。
【０００８】
特許文献５には、ホーンを有さないものの、ケースミドルと、ブレスレットに結合するためのインサートとに結合されたトラニオン（ｔｒｕｎｎｉｏｎ）を用いてブレスレットを回転可能に固定することが可能な時計ケースが記載されている。トラニオンは、ブレスレットのインサートに螺合するネジ付きロッドを有している。したがって、ケースミドルの内部からトラニオンをネジ留めする必要があり、これにより組み立てと、特に分解とが非常に困難となってしまう。
【０００９】
特許文献６及び特許文献７では、ホーンの結合部を収容するよう設定されたハウジングを形成することができるように厚いミドルが必要である。
【００１０】
特許文献８には、腕時計のケースミドルが記載されており、腕時計のブレスレットは、ケースミドルの外方の部分の空洞部に位置されることができるとともにその外面に結合可能なロック要素を用いてケースミドルに対して保持されている。この部分は、ブレスレットの取付を可能とするロッドと協働する。
【００１１】
特許文献９には、ケースミドルの一方側における穴を含む腕時計の長方形のケースミドルが開示されており、穴の壁部は、ブレスレットの厚さよりも大きな幅の軸方向のスロットによって横断されている。弾性的な管状のブレードと、一端が閉鎖されたスリーブとが、このスロット内に挿入されている。管状のブレードは、フレキシブルなブレスレットの自由端が挿入される、歯付き軸方向スロットを含んでいる。スリーブ内への管状ブレードの軸方向の挿入には、歯付きスロットを挟むことによりブレスレットの自由端をロックするブレードの弾性変形が必要となる。この解決手段は、スリーブと弾性的な管状のブレードを受ける軸方向のスロットをための大きな厚さを有するケースミドルを必要とする。さらに、この解決手段は、フレキシブルなブレスレットにのみ適している。
【００１２】
特許文献１０には、円筒を収容するように配置された、第１の方向（運動平面に対して垂直）に延びる第１の孔と、ブレスレットの結合部に結合されたネジを収容するように配置された、第１の方向に対して垂直な第２の方向（したがって運動平面）に延びる第２の孔とを含む時計ミドルが記載されている。円筒は２つの開口部を含んでおり、これら開口部のうち第１の開口部はこのネジを収容するために配置されており、第２の開口部は、時計ケースの底部でケースミドルを固定するための他のネジを収容するために配置されている。ミドルは、ブレスレット及び円筒への結合ネジを収容する孔を格納する大きな厚さを必要とする。
【００１３】
特許文献１１には、ケースミドルと、このケースミドルの平坦部に対して挿入された固定プレートを用いてケースミドルに取り付けられた取り外し可能なホーンとを含む時計ケースが記載されている。ホーンを保持するネジは、このプレートを貫通し、このプレートを、ネジ付き孔を通してケースのミドルにおいて保持する。ミドルは、これらネジを収容するネジ付き孔を格納し、及び平坦部を提供する大きな厚さを必要とする。
【００１４】
特許文献１２は、ホーンを有さない他の時計ケースに関するものである。ブレスレットは、時計ケースの底部から垂直に螺合するネジを用いて保持されたピンによって留められている。この解決手段も、ケースミドルの非常に大きな厚さを必要とする。
【先行技術文献】
【特許文献】
【００１５】
【特許文献１】スイス国特許出願公開第７０６２６０号明細書
【特許文献２】欧州特許出願公開第２４３１８２５号明細書
【特許文献３】スイス国特許出願公開第７０１２２１号明細書
【特許文献４】欧州特許出願公開第２１８８６７６号明細書
【特許文献５】欧州特許出願公開第１９０２６４１号明細書
【特許文献６】スイス国特許第３５５０９４号明細書
【特許文献７】スイス国特許第３２１１８８号明細書
【特許文献８】欧州特許出願公開第０４００２０６号明細書
【特許文献９】欧州特許出願公開第０４７１８３４号明細書
【特許文献１０】米国特許第５７３２０４８号明細書
【特許文献１１】スイス国特許第７０５２４０号明細書
【特許文献１２】スイス国特許第６８５０３５号明細書
【発明の概要】
【発明が解決しようとする課題】
【００１６】
本発明の１つの目的は、公知のシステムの制限のないケースミドルへのホーン取付システムを有する時計ケースを提供することにある。
【００１７】
本発明の他の目的は、公知のケースよりも薄いミドルセクションを備え、取り外し可能なホーンを取り付けるための時計ケースを提供することにある。
【００１８】
本発明の他の目的は、エレガントな時計又は女性用時計に適したケースミドルにホーンを取り付けるためのシステムを提供することにある。
【００１９】
本発明の他の目的は、公知の解決手段よりも薄いシステムを固定する取り外し可能なホーンを有する時計ケースを提供することにある。
【課題を解決するための手段】
【００２０】
本発明によれば、これら課題は、特に、
ケースミドルと、
取り外し可能なホーンと、
ナット部分がケースミドルから径方向外方へ突出するように、ケースミドルの厚さにおいて設けられたハウジングへ取り外し可能に挿入される少なくとも１つのナットと、
各ナットに径方向に螺合する取り外し可能なホーン保持ネジと
を含んでいる時計ケースによって達成される。
【００２１】
この解決手段は、ケースミドルの外側へ向けて径方向に突出する取り外し可能なナットによって取り外し可能なホーンを保持する利点を有している。したがって、保持ネジのための孔をネジ切りするために非常に厚いミドルを設ける必要がない。十分な数のネジピッチをナットの突出した部分に設けることが可能である。
【００２２】
ナットは、取り外し可能であるとともに、ホーンによってケースミドルのハウジングに隠されることが可能である。それゆえ、ケースミドルの材料とは異なる材料でナットを形成することが可能である。例えば、制限せずに、特に耐性材料、例えば鋼、ステンレス鋼、チタンなどでナットを形成すること、及びより装飾性の、又はより低いアレルゲン性の材料、例えばより硬度の低い金属、貴金属、セラミックなどをケースミドルに用いることが有利である。
【００２３】
ナットは、ブラインドナットであってよい。
【００２４】
一変形例では、ナットは、ケースミドルと同一の材料で形成されている。
【００２５】
各ナットは、ケースミドルにおいて当該プレートをそのハウジング内に保持するためのプレートと、プレートに取り付けられたネジ付きナット部分とを含むことが可能である。ネジ付きナット部分は、ミドルケースの外側面において突出しているとともに、ホーンを螺合させることが可能である。プレートにより、ケースミドルにナットを保持することが可能である。
【００２６】
本発明の文脈において、「プレート」という用語は、平坦にされた薄い部分を指す。本発明の文脈において、プレートの厚さが１ｍｍより小さく、例えば０．８ｍｍより小さく、好ましくは０．５ｍｍである場合にプレートは、薄いとみなされる。
【００２７】
好ましい実施例では、プレート及びネジ付きナット部分は、単一の一体鋳造部材（ナット）、例えば金属部分を形成する。
【００２８】
一実施例では、プレート及びネジ付きナット部分は、２つの異なる材料で形成されることができ、例えば、プレートは硬質プラスチック及び金属のネジ付き要素で形成されることができるか、又はプレートは、ネジ付き要素の金属とは異なる金属で形成されることが可能である。
【００２９】
有利には、プレートは、ケースミドルのスロット内へ滑る。
【００３０】
ケースミドルのエッジにおける、スロットのエッジは、時計ケースのベゼルによって隠されることが可能である。
【００３１】
有利には、プレートの厚さは、ケースミドルの壁部の厚さよりも小さい。
【００３２】
好ましい実施例によれば、プレートの厚さは、ネジ付きナット部分の厚さよりも小さい。好ましい実施例では、ネジ付きナット部分の厚さは、１ｍｍ以上、好ましくは１．２ｍｍ以上である。
【００３３】
したがって、本発明による固定システムは、公知の固定システムのケースミドルよりも薄いケースミドルを達成することが可能であるという利点を有している。
【００３４】
一実施例では、ホーンは、結合要素によって２つずつ結合されている。少なくとも１つの前記保持ネジは、ケースミドルに対して保持するために各結合部を貫通している。
【００３５】
好ましい実施例では、時計ケースは、結合部を貫通する２つのネジと、それぞれケースミドルの対応するハウジング内に収容されている４つのナットとを含んでいる。そして、ホーンの各対は、２つのホーンの間の結合部を貫通し、２つの対応するナットに螺合する２つのネジによって保持されている。
【００３６】
ホーンが結合部によって結合されていないか、又は結合部が貫通孔を含んでいないことも可能である。この場合、各保持ネジは、各ホーンを貫通するとともに、対応するナットによって収容されている。この場合、ネジの長さはより長い。なぜなら、ネジは、通常は結合部の厚さよりも大きな厚さを有するホーンを貫通する必要があるためである。
【００３７】
一変形例では、時計ケースは、ホーンの結合部をカバーするように、及びホーンに取り付けられるように配置されたカバーを含んでいる。
【００３８】
カバーの長さは、結合部の長さにほぼ対応することができる。一実施例では、ホーンにおいてこの目的のために設けられたガイドでの組立中にスライドするように配置された側方のループを含むことが可能である。
【００３９】
一変形例においては、結合部は、ストッパによって結合部の垂直方向の位置決めを保証するために、ケースミドルにおける切れ目と協働する突出タブを含んでいる。
【００４０】
好ましい一形態では、この切れ目は、本発明による固定システムの２つのハウジングの間に配置されている。
【００４１】
本発明は、後述の時計ケース部分を含む時計、特に腕時計に関するものでもある。
【００４２】
本発明は、時計のケースミドルへ取り外し可能なホーンを取り付けるための方法であって、以下のステップ：
−ナット部分がケースミドルの外方へ突き出るよう突出するように、ケースミドルのハウジングへ少なくとも１つのナットをスライドさせるステップと、
−取り外し可能なホーンをケースミドルに固定するためにナット内へネジを螺合させるステップと
を含む方法に関するものでもある。
【００４３】
本発明の実施例は、添付の図面によって示された説明において表される。
【図面の簡単な説明】
【００４４】
【図１】腕時計のケースミドル及びベゼルと協働する、本発明の一実施例による固定システムの分解斜視図である。
【図２】図１の固定システムの実施例のｘ−ｚ平面における第１の断面図である。
【図３】図１の固定システムの実施例のｘ−ｙ平面における第２の断面図である。
【発明を実施するための形態】
【００４５】
図１には、本発明の一実施例による時計ケースの分解斜視図が図示されている。時計ケースは、とりわけケースミドル（ｃａｓｅ  ｍｉｄｄｌｅ）６０及びベゼル７０を含んでいる。ケースミドルは、円筒状であってよく、有利には旋削加工（ｔｕｒｎｉｎｇ）によって形成されることが可能である。
【００４６】
取り外し可能なホーン４０により、ケースミドルを不図示のブレスレットへ結合することが可能である。この実施例では、ケースミドルは、二対のホーン４０を含んでいる。各対の２つのホーンは、結合部３０によって、ケースミドルの各側で互いに結合されている。
【００４７】
ケースミドル６０の外側側面に対してホーン４０を留めるためのシステムは、
−２つのブラインドナット１０
を含んでいる。各ブラインドナット１０は、ナット１０を挿入するための、及びナットをハウジング内に、ここではケースミドル６０の厚さに形成されたスロット６２内に保持するためのナット部分１４と、
−各結合部３０を貫通する２つのネジ２０と
を含んでいる。各ネジ２０は、ナット１０に係合している。
【００４８】
したがって、ナット１０は、ケースミドルの厚さのハウジングに取り外し可能に取り付けられている。
【００４９】
ブレスレット（不図示）を、例えばホーン４０（図１）における孔４２へ挿入されたバーを用いてホーン４０に取り付けることが可能である。
【００５０】
２つのホーン４０及び結合部３０は、一体鋳造部材を形成することができるか、あるいは、図１に図示されているように、結合手段４４、例えばネジによって相互に結合された３つの異なる部材を形成することができる。
【００５１】
図示の例では２つのネジ２０及び２つのナット１０が時計ケースの各側において用いられているものの、本発明は、このような構成に限定されず、留め要素３０を貫通する１つのネジ２０及び１つのネジプレート（ｔａｐｐｅｄ  ｐｌａｔｅ）１０によって実施されることが可能である。より多くの数のネジ及びネジプレート１０により、ケースミドル６０へのホーン４０のより良好な取付が保証されるが、組付により長い時間がかかる。
【００５２】
図示の例では、ネジ２０は、２つのホーン４０を結合する結合部３０を貫通している。しかしながら、本発明はこの実施例に限定されておらず、それどころか、ホーン４０が結合部３０によって結合されていないか、又は結合部３０が貫通孔３３を含んでいないことも可能である。不図示の一実施例においては、各ホーンは、このホーンを貫通しているとともにケースミドルに取り外し可能に取り付けられたナット１０に係合している、少なくとも１つの保持ネジによって個別に留められている。この場合、ネジ２０の長さはより長い。なぜなら、ネジは、ここでは結合部３０の厚さよりも大きな厚さを有するホーン４０を貫通する必要があるためである。
【００５３】
プレート１２は、例えば１ｍｍよりも小さい、例えば０．５ｍｍの小さな厚さの平坦な部分又は湾曲した部分である。
【００５４】
図示の例では、ナット部分１４は、内部にネジが切られためくら穴を備えた円筒である。当然、本発明はこのような形状に限定されておらず、他の形状、例えば、限定されない態様において、ネジ切りされた孔を備えた立方体が考えられ得る。
【００５５】
図１〜図３の態様では、プレート１２及びナット部分１４は、一体鋳造部材１０、例えば金属部分を形成する。しかしながら、これらプレート及びナット部分は、互いに結合された２つの別々の部材によって構成されることが可能である。
【００５６】
有利には、スロット６２の高さ及び幅（それぞれ図１においてｚ方向とｙ方向）は、プレート１２の高さ及び幅に対応している。図２において見て取れるスロットｅ６２の厚さは、プレート１２の厚さｅ１２よりもわずかに大きい。本発明の文脈において、「わずかに大きい」という表現は、スロット６２がケースミドル６０の頂部エッジ６００からのプレート１２の挿入を許容する必要があるものの、プレートが一旦挿入されればプレートはｙ方向に沿ってスロットへもはや入ることができないことを示している。
【００５７】
図２に示されているように、プレート１２の厚さは、ネジ付き要素の厚さｅ１４よりも小さい。加えて、特に図３において見て取ることができるようにナット１０がスロット６２へスライドされるときにナット部分１４がケースミドル６０の外側へ向けて径方向へ突出して延びるように、ケースミドル６０のスロット６２及びネジプレート１０が配置されている。
【００５８】
さらに、各ハウジング６２は、ネジ付きナット１０が挿入されることを許容するだけでなく、ケースミドルの外側面に形成された開口部６６により部分１４が外方へ延びることも許容する。
【００５９】
このようにして、ネジは、従来技術のようにケースミドル６０の厚さにおいて係合し、また部材１０のネジ付きナット部分１４において係合する。したがって、ケースミドル６０は、ホーン４０の安定した固定を確保しつつも、非常に薄く、そのため、軽量である。
【００６０】
図示された例においては、開口部６６は「Ｕ」字状であり、この形状は、プレート１２の形状にほぼ対応するが、この対応は、本発明の実現にとって本質的なものではないとともに、開口部６６は、ナット部分がケースミドル６０の頂部エッジ６００から挿入されることを許容するように設定された他のいかなる形状も有することが可能である。
【００６１】
したがって、スロット６２は、プレート１２をケースミドル６０の厚さにおいて収容することができ、開口部６６は、ナット部分１４をネジ２０と協働させることが可能である。
【００６２】
図１の態様では、結合部３０は２つの貫通孔３３を含んでおり、各孔３３は、ネジ２０を収容するように適合されている。図示の態様では、これら孔３３は、結合部３０に形成されネジヘッドを隠すことができる開口部３２に形成されている。
【００６３】
図１〜図３の態様では、カバー５０は、ホーン４０の結合部３０をカバーしている。カバーの長さは、結合部３０の長さにほぼ対応している。図１の態様では、カバー５０は、ホーン４０に設けられた対応するガイドへスライドするように配置された側方ループ５６を含んでいる。
【００６４】
図２において見て取れるように、カバーは、ベゼル７０の部分の形状と一致し、この部分に接触する面５８を含んでいる。ナット１０は、結合部３０、カバー５０及び／又はベゼル７０によって完全に隠されている。
【００６５】
一変形例においては、結合部３０は、結合部３０及びホーンの垂直方向の位置決めを保証するために、ケースミドルの側面における切れ目６４と協働する突出タブ３４を含んでいる。
【００６６】
図１に図示された形態では、この突出タブ３４は、各側で、ミリングカッターによる結合部３０の機械加工を許容する２つの切れ目３６によって仕上げられている。これら２つの切れ目がない場合には、タブ３４の基礎は、カッターの形状による曲率半径を有し、この曲率半径は、ケースミドル６０の中央の切れ目６４におけるその収容を妨げる。
【００６７】
図１の形態では、この切れ目６４は、本発明による固定システムの２つのスロット６２の間に配置されている。
【００６８】
本発明は、後述の時計ケース部分を含む時計に関するものでもある。
【００６９】
本発明は、時計のケースミドルへ取り外し可能なホーンを取り付けるための方法であって、以下のステップ：
−ケースミドルのスロット６２内へ少なくとも１つのナット１０をスライドさせるステップと、
−取り外し可能な２つのホーンの結合部３０の貫通孔内へ、又は取り外し可能な１つのホーンの貫通孔内へ少なくとも１つのネジ２０を挿入するステップと、
−取り外し可能なホーンをケースミドルに固定するためにナット１０内へネジ２０を螺合させるステップと
を含んでいる。
【符号の説明】
【００７０】
１０            ナット
１２            プレート
１４            ナット部分
２０            保持ネジ
３０            結合部
３２            結合部の開口部
３３            結合部の貫通孔
３４            結合部のタブ
３６            結合部の切れ目
４０            取り外し可能なホーン
４２            ホーンをブレスレットへ取り付けるための手段
４４            ホーンを結合部へ取り付けるための手段
４６            ガイド
５０            結合部
５６            結合部のループ
６０            ケースミドル
６００          ケースミドルの頂部エッジ
６２            ミドルケースにおけるハウジング
６４            ミドルケースにおける切れ目
６６            開口部
７０            ベゼル
８０            ジョイント
ｅ１２          プレートの厚さ
ｅ１４          ナット部分の厚さ
ｅ６２          プレートのためのハウジングの厚さ
【図１】
2018529970.tif 000003
【図２】
2018529970.tif 000004
【図３】
2018529970.tif 000005
【国際調査報告】
2018529970.tif 000006
2018529970.tif 000007
2018529970.tif 000008
2018529970.tif 000009
2018529970.tif 000010
2018529970.tif 000011